(57)【要約】【課題】右打導入通路における遊技球の動きを斬新にすることが可能な遊技機の提供を目的とする。【解決手段】遊技球が流下可能な遊技領域Ｒ１を前面に備えた遊技板１１と、遊技領域Ｒ１を囲む第１及び第２のガイドレール１２Ａ，１２Ｂ、区画レール１６と、遊技領域Ｒ１の左上縁部に設けられ、遊技球を遊技領域Ｒ１に打ち込むための進入口１９と、進入口１９から第１ガイドレール１２Ａに沿って右斜め上方に進んだ遊技球を遊技領域Ｒ１の右側流下エリアＲｂに案内する右打導入通路Ｒｃと、を備えた遊技機１０において、右打導入通路Ｒｃを屈曲させてなる減速屈曲部４２と、減速屈曲部４２に設けられて第１ガイドレール１２Ａに下方から隣接し、進入口１９から第１ガイドレール１２Ａに沿って進んできた遊技球が衝突可能な緩衝部材４１と、を設けた遊技機１０。【選択図】図５
2017023774.tif 000002
【特許請求の範囲】
【請求項１】
遊技球が流下可能な遊技領域を前面に備えた遊技板と、
前記遊技領域を囲む包囲壁と、
前記遊技領域の左上縁部側に設けられ、遊技球を前記遊技領域に打ち込むための進入口と、
前記進入口から前記包囲壁に沿って前記遊技領域の右側流下エリアに遊技球を案内する右打導入通路と、を備えた遊技機において、
前記右打導入通路を屈曲させてなる減速屈曲部と、
前記減速屈曲部に設けられて前記包囲壁に下方から隣接し、前記進入口から前記包囲壁に沿って進んできた遊技球が衝突可能な緩衝部材を設け、
前記緩衝部材は、前記包囲壁の最上部又はその最上部に右側近傍に配置され、
前記右打導入通路の終端部の下方に配置され、前記遊技領域の右側流下エリアに向かう遊技球の通る右上部関所と、前記右上部関所の右側に配置され、前記右打導入通路を通過してきた遊技球が衝突する終端緩衝部材を備えたことを特徴とする遊技機。
【発明の詳細な説明】
【技術分野】
【０００１】
本発明は、遊技領域の右側流下エリアに遊技球を案内可能な右打導入通路を備えた遊技機に関する。
【背景技術】
【０００２】
一般的に、この種の遊技機は、右打導入通路を通過する遊技球が、包囲壁に案内されて右方へ進むように構成されている（例えば、特許文献１参照）。
【先行技術文献】
【特許文献】
【０００３】
【特許文献１】特開２０１５−９７６４７号公報（図２）
【発明の概要】
【発明が解決しようとする課題】
【０００４】
しかしながら、上述した従来の遊技機においては、右打導入通路における遊技球の動きが新鮮味に欠けていた。
【０００５】
本発明は、上記事情に鑑みてなされたもので、右打導入通路における遊技球の動きを斬新にすることが可能な遊技機の提供を目的とする。
【課題を解決するための手段】
【０００６】
上記目的を達成するためになされた請求項１の発明は、遊技球が流下可能な遊技領域を前面に備えた遊技板と、前記遊技領域を囲む包囲壁と、前記遊技領域の左上縁部側に設けられ、遊技球を前記遊技領域に打ち込むための進入口と、前記進入口から前記包囲壁に沿って前記遊技領域の右側流下エリアに遊技球を案内する右打導入通路と、を備えた遊技機において、前記右打導入通路を屈曲させてなる減速屈曲部と、前記減速屈曲部に設けられて前記包囲壁に下方から隣接し、前記進入口から前記包囲壁に沿って進んできた遊技球が衝突可能な緩衝部材を設け、前記緩衝部材は、前記包囲壁の最上部又はその最上部に右側近傍に配置され、前記右打導入通路の終端部の下方に配置され、前記遊技領域の右側流下エリアに向かう遊技球の通る右上部関所と、前記右上部関所の右側に配置され、前記右打導入通路を通過してきた遊技球が衝突する終端緩衝部材を備えたことを特徴とする遊技機である。
【０００７】
請求項１の構成では、包囲壁に沿って進んできた遊技球が右打導入通路における減速屈曲部で屈曲されるので、右打導入通路を通過する遊技球が包囲壁に案内されて進んでいく構成であった従来の遊技機よりも、右打導入通路における遊技球の動きを斬新にすることが可能となる。また、包囲壁に沿って進んできた遊技球が緩衝部材と減速屈曲部とにより減速されるので、その後の右打導入通路における遊技球の動きは、包囲壁に案内される形態ではなく、転動する形態となり、右打導入通路における遊技球の動きをより斬新にすることが可能となる。
【０００８】
また、緩衝部材が包囲壁の最上部又はその最上部の右側近傍に配置されているので、右打導入通路における遊技球を転動させる部分を長くとることができ、右打導入通路における斬新な遊技球の動きをより長く遊技者に見せることが可能となる。
【０００９】
さらに、２つの緩衝部材で遊技球の勢いを低下させるので、遊技球の衝突による部品の破損を抑制することが可能となる。
【発明の効果】
【００１０】
本発明の遊技機では、包囲壁に沿って進んできた遊技球が右打導入通路における減速屈曲部で屈曲されるので、右打導入通路を通過する遊技球が包囲壁に案内されて進んでいく構成であった従来の遊技機よりも、右打導入通路における遊技球の動きを斬新にすることが可能となる。
【図面の簡単な説明】
【００１１】
【図１】本発明の一実施形態に係る遊技機の正面図
【図２】遊技板の正面図
【図３】窓内装飾部材が下端位置に配置された遊技板の正面図
【図４】右打導入通路の拡大図
【図５】表示装飾枠の斜視図
【図６】減速屈曲部の拡大図
【図７】（Ａ）減速屈曲部の拡大斜視図（Ｂ）緩衝部材の斜視図
【図８】減速屈曲部の断面図
【図９】樋屈曲部の斜視図
【図１０】樋屈曲部の分解斜視図
【図１１】樋屈曲部の断面図
【発明を実施するための形態】
【００１２】
以下、本発明の一実施形態を図１〜図１１に基づいて説明する。図１に示すように、本実施形態の遊技機１０はパチンコ遊技機であって、前側が前面枠１０Ｚにて覆われており、その前面枠１０Ｚに形成されたガラス窓１０Ｗを通して遊技板１１の遊技領域Ｒ１が視認可能になっている。なお、以下の説明において、特記しない限り「右」及び「左」とは、遊技機１０を前方から見た場合の「右」及び「左」を指すものとする。
【００１３】
前面枠１０Ｚのうちガラス窓１０Ｗより下方には、上皿２７Ａと下皿２７Ｂが上下２段にして設けられ、下皿２７Ｂの右側には操作ハンドル２８が設けられている。操作ハンドル２８を回動操作すると、上皿２７Ａに収容された遊技球が遊技領域Ｒ１に向けて弾き出される。図２に示すように、遊技領域Ｒ１には、始動入賞口１４Ａ，１４Ｂ、大入賞口３０が備えられている。そして、始動入賞口１４Ａ，１４Ｂに遊技球が入賞すると、当否判定が行われて、判定結果が当りであれば、大入賞口３０が開放状態となる「大当り遊技」が実行され、外れであれば大入賞口３０が閉じたままとなる。
【００１４】
図２に示すように、遊技板１１は、全体が略四角形をなし、その上部の両角部は、斜めにカットされている。この遊技板１１の前面から突出した第１及び第２のガイドレール１２Ａ，１２Ｂと区画レール１６が、本発明に係る「包囲壁」となって遊技領域Ｒ１を囲んでいる。具体的には、第１及び第２のガイドレール１２Ａ，１２Ｂは帯板状をなして、その帯幅方向を遊技板１１の前後方向に向けた状態で遊技板１１の前面に取り付けられている。また、第１ガイドレール１２Ａは、遊技板１１の外縁部における下辺の左端部寄り位置と、左辺と、上辺と、右上角部近傍の右辺寄り位置と、を繋げる円弧状をなして延びている。また、第２ガイドレール１２Ｂは、遊技板１１の外縁部の下辺中央部より上方に離れた位置から遊技板１１の左上角部近傍で第１ガイドレール１２Ａより内側に遊技球１つ分ずれた位置まで、第１ガイドレール１２Ａに沿った円弧状をなして延びている。この第２ガイドレール１２Ｂの上端と第１ガイドレール１２Ａとの間に本発明の進入口１９が設けられている。（第１ガイドレール１２Ａは第２ガイドレール１２Ｂの外側にあることから外レールとなり、第２ガイドレール１２Ｂを含んだレールが内レールとなっている。）
【００１５】
また、区画レール１６は、遊技板１１の外縁部の下辺と右辺とに沿って延びて、その下辺に沿った部分の先端が第２ガイドレール１２Ｂの始端部近傍に位置する一方、右辺に沿った部分の上側が第１ガイドレール１２Ａの終端部近傍に位置している。
【００１６】
また、遊技板１１のうち遊技領域Ｒ１の中央には、中央開口部１１Ａ（図４参照）が貫通形成されていて、中央開口部１１Ａには、表示装飾枠２３が取り付けられている。詳細には、表示装飾枠２３は、中央開口部１１Ａの内側に受容される受容部２３Ｋと、受容部２３Ｋから側方に張り出して遊技板１１の前面より僅かに前方で延びた前面を有する張出し部２３Ｆと、を備え、遊技板１１の中央開口部１１Ａに前方から嵌め込まれている。この表示装飾枠２３の内縁部に囲まれた領域が本発明の表示窓２３Ａに相当する。なお、張出し部２３Ｆの前面側は遊技球が流下可能に構成される。また、表示装飾枠２３は、張出し部２３Ｆの一部が遊技板１１の前面に重なられた状態でビス止めされることにより固定されている。
【００１７】
遊技板１１の後方には、表示画面１３Ｇを備えた表示装置１３が取り付けられている。表示装置１３の表示画面１３Ｇは、表示窓２３Ａを通して前方に臨んでいる。なお、表示画面１３Ｇには、上述した当否判定の結果等が表示される。なお、表示装置１３に限らず駆動物など演出に絡めた演出装置であってもよい。
【００１８】
図２に示すように、表示窓２３Ａの内側には、左右方向に延びた窓内装飾部材８０が備えられている。この窓内装飾部材８０は、常には、図２に示される上端位置に配され、上述した大当り遊技が開始されるなど遊技状況に応じて、図３に示される下端位置まで落下して、遊技を盛り上げる。つまり、窓内装飾部８０は上端位置と下端位置との間を移動可能（上端位置と下端位置との間の途中で停止する場合があるのも含む）に構成されている。
【００１９】
表示装飾枠２３のうち表示画面１３Ｇより上方部分と両側方部分は、前記したガラス窓１０Ｗのガラス板に隣接する位置まで突出した流下規制突部２４となっていて、遊技球の流下方向を規制している。
【００２０】
流下規制突部２４のうち表示画面１３Ｇより上方の上側流下規制部２４Ａは、上方に膨らんだ形状をなし、遊技領域Ｒ１に打ち込まれた遊技球を、遊技領域Ｒ１の左側流下エリアＲａと、右側流下エリアＲｂとに振り分ける。左側流下エリアＲａは、流下規制突部２４のうち表示画面１３Ｇより左方の左側流下規制部２４Ｌと第２ガイドレール１２Ｂとの間を含んだ左側の領域に形成され、右側流下エリアＲｂは、流下規制突部２４のうち表示画面１３Ｇより右方の右側流下規制部２４Ｒと区画レール１６との間を含んだ右側の領域に形成されている。なお、遊技球は遊技状況に応じて左側流下エリアＲａと右側流下エリアＲｂとに打ち分けられる。
【００２１】
上側流下規制部２４Ａの上面のうち左右方向の中央部は、第１ガイドレール１２Ａと遊技球１球の幅で対向した頂上部２４Ｔとなっている。また、上側流下規制部２４Ａの上面の左側部分は、頂上部２４Ｔの左端部から左下がりに傾斜した左上傾斜部２４Ｂになっている。そして、比較的弱い発射強度で発射された遊技球は、左上傾斜部２４Ｂ又は障害釘に当接して、左側流下エリアＲａに向かう。
【００２２】
また、遊技領域Ｒ１の上縁部には、第１ガイドレール１２Ａの右上縁部に沿って延びた右打導入通路Ｒｃが設けられている。比較的強い発射強度で発射された遊技球は、この右打導入通路Ｒｃを通過して右側流下エリアＲｂに案内される。右打導入通路Ｒｃは、上側流下規制部２４Ａの頂上部２４Ｔの左端部から上側流下規制部２４Ａの右端部まで、遊技球が１球ずつ通過可能な幅をなして延びている。右打導入通路Ｒｃについては、後に詳説する。
【００２３】
図２に示すように、区画レール１６の上端側には、第１ガイドレール１２Ａの終端下方に隣接配置された垂直面１６Ｄが備えられている。また、垂直面１６Ｄには、右打導入通路Ｒｃを通過してきた遊技球が衝突する弾性部材（エラストマー製）の終端緩衝部材１６Ｋが備えられている。この終端緩衝部材１６Ｋと上側流下規制部２４Ａの右側端部との間に、遊技球が１つずつ通過可能な右上部関所２４Ｙが形成されている。なお、この右上部関所２４Ｙは、右側流下エリアＲｂの上端側に位置している。
【００２４】
右側流下エリアＲｂのうち右上部関所２４Ｙに下方から隣接する部分には、遊技球１つ通過できる分の幅をなし、カバー片６１によって前方から覆われたサイド進入路６０が備えられている。サイド進入路６０は、右上部関所２４Ｙを通過した遊技球を受け入れて遊技球１球分左方へ屈曲させた後、遊技球２〜３球分下方へ移動させ、そこから僅かに右方へ屈曲させ、下流側へ排出する。また、カバー片６１の上下方向の中央には後方に突出した突部（図示せず）が形成されていて、サイド進入路６０のうち上下方向に遊技球２〜３球分延びた部分は、後方へ向けてＵ字状に屈曲している。そして、右打導入通路Ｒｃの下方（頂上部の下方）に窓内装飾部材８０が配置されている。
【００２５】
ところで、従来の遊技機では、右打導入通路Ｒｃが、遊技球が第１ガイドレール１２Ａに案内されて勢いよく通過するだけの構成にすぎず、右打導入通路Ｒｃにおける遊技球の動きが新鮮味に欠けていた。これに対し、本実施形態の右打導入通路Ｒｃは以下のようになっている。
【００２６】
即ち、右打導入通路Ｒｃは、その左端部を上下方向にクランク状に屈曲させてなる減速屈曲部４２を備えている。詳細には、右打導入通路Ｒｃは、上側流下規制部２４Ａの頂上部２４Ｔ上の左上側通路４５と、左上側通路４５の右方で左上側通路４５から遊技球１球分下方にずれて延びた右下側通路４６と、左上側通路４５と右下側通路４６との間を連絡する中間通路４３とを有している。
【００２７】
また、上側流下規制部２４Ａの外側面のうち中間通路４３の左方部には、頂上部２４Ｔの右端から略直交して下方に僅かに延びた逆流規制部２４Ｃと、逆流規制部２４Ｃの下端部から下方に向かうに従って右側に向かうように傾斜して、上下方向及び左右方向で遊技球１球分延びた誘導傾斜部２４Ｄとが備えられている。なお、逆流規制部２４Ｃと誘導傾斜部２４Ｄとを合わせたものが本発明の「傾斜部」に相当する。
【００２８】
なお、中間通路４３の上下方向の中間部分には、遊技板１１と表示装飾枠２３の張出し部２３Ｆとによって形成された前後段差部２３Ｄが設けられている。前後段差部２３Ｄは、下方に向かうに従って前側に向かうように傾斜している。
【００２９】
また、減速屈曲部４２には、緩衝部材４１が設けられている。緩衝部材４１は、右下側通路４６と第１ガイドレール１２Ａとの間でかつ左上側通路４５の延長線上に、第１ガイドレール１２Ａに下方から隣接し、進入口１９から第１ガイドレール１２Ａに沿って進んできた遊技球が衝突する構成となっている。なお、この緩衝部材４１の左端面近傍が本発明の「衝突部」に相当する。
【００３０】
図７に示すように、緩衝部材４１は、エラストマー（本発明の「弾性部材」に相当する）製のブロック形状をなし、そのブロック形状のうち遊技球が衝突する衝突面４１Ｍ（左端面）は、下方に向かうに従って左上側通路４５の延長方向の前方に向かうように傾斜する第１傾斜と、遊技板１１側に向かうに従って左上側通路４５の延長方向の前方に向かうように傾斜する第２傾斜とを備えた傾斜部４１Ｋを有している。また、緩衝部材４１は、ブロック形状における左上側通路４５の延長方向の寸法が、前端部から遊技板１１側に向かうに従って徐々に小さくなるように窄んでいる。
【００３１】
図６に示すように、緩衝部材４１は、遊技板１１の前面と、表示装飾枠２３に一体形成されて遊技板１１の前面と対向した前面支持部材２６との間に固定されている。詳細には、緩衝部材４１には前後に貫通した一対の支持孔４１Ａ，４１Ａが横並びに形成されている。また、また、図８で示すように、前面支持部材２６には、後方に突出し、遊技板１１の前面と前面支持部材２６との間の中間位置まで延びた一対の支持シャフト２６Ｓ，２６Ｓが横並びに形成されている。この前面支持部材２６の支持シャフト２６Ｓ，２６Ｓが緩衝部材４１の支持孔４１Ａ，４１Ａに中間位置まで挿入されることで、緩衝部材４１が固定されている。なお、前面支持部材２６の遊技板１１側面が本発明の「前面支持部」に相当する。
【００３２】
また、右打導入通路Ｒｃのうち減速屈曲部４２の下流側部分には、前後方向に屈曲した屈曲通路５０Ｒが設けられている。以下に詳細を説明する。
【００３３】
図９に示すように、右打導入通路Ｒｃにおける減速屈曲部４２の右方部分には、前面カバー５５を有した樋構造をなし、内側を遊技球が通過する樋部４７が備えられている。なお、前面カバー５５は、透明樹脂で構成され、樋部４７内を通過する遊技球が視認可能となっている。また、前面カバー５５は、図１０に示すように、別体形成され、装飾枠本体２３Ｈに対して後付け可能に構成されている。
【００３４】
図４に示すように遊技板１１の中央開口部１１Ａの右上角部には中央開口部１１Ａを外側に拡張した樋収容部１１Ｋが形成されている。そして、樋部４７をこの樋収容部１１Ｋに収容されるように後方に屈曲することで樋屈曲部５０が形成され（図９参照）、この樋屈曲部５０の内部が屈曲通路５０Ｒとなっている。つまり、樋収容部１１Ｋを設けることで樋屈曲部５０を遊技板１１側に屈曲させて配置することができるように構成されている。
【００３５】
図９に示すように、樋屈曲部５０の上流側端部と下流側端部には、導入部５０Ｄと導出部５０Ｅとが設けられている。これら導入部５０Ｄ及び導出部５０Ｅの後側内側面は、張出し部２３Ｆの前面と同じ面により構成されている。即ち、樋屈曲部５０における遊技球の出入り口は、遊技板１１の前面の前方に配されている。なお、前面カバー５５の上流側端部と下流側端部とには、遊技球が屈曲通路５０Ｒをスムーズに出入りするための傾斜部５５Ｋが形成されている。
【００３６】
樋屈曲部５０のうち導入部５０Ｄと導出部５０Ｅとの間に、本発明の干渉回避部５０Ａが形成されている。干渉回避部５０Ａは、樋収容部１１Ｋの内側に配置され（図１１参照）、遊技板１１と略平行、或は遊技板１１の裏面より少し突出した形で延びている。また、前面カバー５５のうち干渉回避部５０Ａを前方から覆う干渉回避カバー部５５Ａは、遊技板１１の前面と略面一となっている。そして、樋屈曲部５０よりも前方の通路と窓内装飾部材８０の前方への突出量がほぼ同じ高さに構成されていることから図５に示すように、窓内装飾部材８０のうち右上部を拡張した装飾拡張部８０Ｋがこの干渉回避部５０Ａの前方に配置可能に構成されている。
【００３７】
また、樋屈曲部５０には、導入部５０Ｄ及び導出部５０Ｅと干渉回避部５０Ａとの間を連絡し、遊技板１１の前面に対して傾斜した１対の傾斜屈曲部５０Ｂ，５０Ｃが形成されていて、導入部５０Ｄから干渉回避部５０Ａへ向かう遊技球及び干渉回避部５０Ａから導出部５０Ｅへ向かう遊技球をスムーズに通過させることができ、樋屈曲部５０内での球詰まりが防がれる。なお、前面カバー５５のうち導出部５０Ｅの前方に位置する部分は導出部カバー５５Ｅとなっていて、干渉回避部５０Ａから導出部５０Ｅへ移動する遊技球がガラス窓１０Ｗに衝突することが防がれる。また、導出部５０Ｅは干渉回避部５０Ａよりも前後方向と交差する方向の幅で幅広になっている。
【００３８】
なお、上述した構成により、比較的強く打ち込まれた遊技球が通過する領域は、進入口１９から第１ガイドレール１２Ａに沿って緩衝部材４１まで延びた第１領域Ｔ１と、緩衝部材４１に衝突することで減速され、第１領域Ｔ１よりも小さい（遅い）速度で遊技球が通過する第２領域Ｔ２と、終端緩衝部材１６Ｋによって減速され、第２領域Ｔ２よりも（遅い）小さい速度で進入した遊技球が流下する第３領域Ｔ３（右側流下エリアＲｂ）と、に分かれている。
【００３９】
次に、遊技機１０の作用効果について説明する。本実施形態の遊技機１０では、遊技球を右側流下エリアＲｂを目指して勢いよく打ち込むと、進入口１９から飛び出した遊技球は、第１ガイドレール１２Ａに案内されて右上方に向かい、右打導入通路Ｒｃに進入する。
【００４０】
右打導入通路Ｒｃに進入した遊技球は、まず減速屈曲部４２を通過する。減速屈曲部４２では、左上側通路４５を右方へ移動する遊技球が緩衝部材４１に衝突して減速され、その下方に配された右下側通路４６へ案内される。なお、比較的緩やかに右打導入通路Ｒｃに進入した遊技球は、緩衝部材４１に衝突せずに右下側通路４６に向かう場合もある。
【００４１】
右下側通路４６へ案内された遊技球はさらに右方へ向けて転動して樋屈曲部５０の導入部５０Ｄへと突入し、傾斜屈曲部５０Ｂによって導入部５０Ｄより後方に位置する干渉回避部５０Ａへ案内される。このとき、上流側に設けられた減速屈曲部４２で遊技球の速度が減速されているので、前面カバー５５の上流側部分に遊技球が衝突したときの衝撃が抑えられ、前面カバー５５にかかる負担が軽減される。その後、遊技球は、干渉回避部５０Ａを通過して、傾斜屈曲部５０Ｃを通り導出部５０Ｅから抜け出す。
【００４２】
樋屈曲部５０を抜けた遊技球は、右上部関所２４Ｙに到達し、終端緩衝部材１６Ｋに衝突して減速された状態で右側流下エリアＲｂに流入する。なお、右側流下エリアＲｂの上端部には左右方向及び前後方向で屈曲したサイド進入路６０が備えられているので、遊技球の速度がさらに減速され、右側流下エリアＲｂに配設された誘導釘へ勢いよく遊技球が落下して衝突することで発生する場合がある釘折れを抑制することができる。
【００４３】
このように、本実施形態の遊技機１０では、第１ガイドレール１２Ａに案内されて進んできた遊技球が減速屈曲部４２で屈曲されるので、右打導入通路を通過する遊技球が包囲壁に案内されて進んでいくだけの構成であった従来の遊技機よりも、右打導入通路Ｒｃにおける遊技球の動きを斬新にすることができる。また、第１ガイドレール１２Ａに沿って進んできた遊技球が緩衝部材４１と減速屈曲部４２とにより減速されるので、その後の右打導入通路Ｒｃにおける遊技球の動きは、第１ガイドレール１２Ａに案内される形態ではなく、転動する形態となり、右打導入通路Ｒｃにおける遊技球の動きをより斬新にすることができる。
【００４４】
また、緩衝部材４１が包囲壁の第１ガイドレール１２Ａの中央部の右側近傍に配置されているので、右打導入通路Ｒｃにおける遊技球を転動させる部分を長くとることができ、右打導入通路Ｒｃにおける斬新な遊技球の動きをより長く遊技者に見せることができる。
【００４５】
さらに、右打導入通路Ｒｃのうち緩衝部材４１と終端緩衝部材１６Ｋとの間に、後方に屈曲した樋屈曲部５０が備えられているので、減速屈曲部４２で屈曲されて転動する遊技球が樋屈曲部５０によりさらに屈曲され、遊技球の動きをより斬新にすることができる。
【００４６】
しかも、樋屈曲部５０が後方に屈曲しているので、その前方に窓内装飾部材８０を配置することが可能となる。これにより、表示窓２３Ａの上端部の左端から右端まで延びた窓内装飾部材８０を右方へ拡張することができるので、遊技者にインパクトを与えることが可能となる。さらに、干渉回避部５０Ａの前面が遊技板１１の前面と略面一となる位置まで樋屈曲部５０が屈曲しているので、窓内装飾部材８０に厚みを持たせても干渉回避部５０Ａの前面との接触を回避することが可能となる。また、干渉回避部５０Ａを設けたことにより、窓内装飾部材８０が上端位置と下端位置との間を移動する構成であっても、右打導入通路Ｒｃに窓内装飾部材８０が接触することを回避することが可能となる。
【００４７】
また、本実施形態の緩衝部材４１では、衝突面４１Ｍに衝突した遊技球は、傾斜部４１Ｋの第１傾斜により右下側通路４６側へと誘導されると共に、第２傾斜により遊技板１１側へと誘導され、遊技球が前面に飛び出してガラス窓１０Ｗを傷つけることが抑制される。
【００４８】
さらに、緩衝部材４１は、支持シャフト２６Ｓ，２６Ｓが緩衝部材４１の支持孔４１Ａ，４１Ａに中間位置まで挿入されることで、固定されている。つまり、緩衝部材４１の支持孔４１Ａのうち遊技板１１側部分に空洞部４１Ｈが形成されている。これにより、緩衝部材４１に遊技球が衝突したときに、緩衝部材４１における前面支持部２６側よりも遊技板１１側が弾性変形しやすく、遊技球を遊技板１１側に誘導させやすくなり、遊技球が前面に飛び出してガラス窓１０Ｗを傷つけることがより一層防がれる。また、緩衝部材４１は、ブロック形状における左上側通路４５の延長方向の寸法が、前端部から遊技板１１側に向かうに従って徐々に小さくなるように窄んでいるため、緩衝部材４１に遊技球が衝突したときに、遊技板側がより弾性変形しやすくなる。さらに、緩衝部材４１と遊技板１１との間にも隙間４１Ｓが設けられている。これにより遊技球の衝撃により緩衝部材４１が弾性変形するときに、緩衝部材４１の後面４１Ｂと遊技板１１との接触による摩擦を抑制することが可能となり、スムーズな弾性変形及び弾性復帰が可能となる。
【００４９】
また、中間通路４３の左側内側面に、下方に向かうに従って右側に向かうように傾斜した誘導傾斜部２４Ｄが備えられているので、緩衝部材４１に衝突した遊技球が誘導傾斜部２４Ｄに受け止められ、右方へスムーズに誘導される。また、中間通路４３には前後段差部２３Ｄが設けられているので、中間通路４３を通過する遊技球は、勢いが緩和された状態で誘導傾斜部２４Ｄに受け止められるので、誘導傾斜部２４Ｄの負荷が軽減される。また、本実施形態の遊技機１０には、緩衝部材４１と終端緩衝部材１６Ｋとの２つの緩衝部材が設けられ、遊技球の勢いを低下させるので、各種部品の破損が減少すると思われる。
【００５０】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００５１】
（１）上記実施形態では、減速屈曲部４２が上下方向で屈曲していたが、前後方向で屈曲していてもよい。
【００５２】
（２）上記実施形態では、樋屈曲部５０は遊技球が１個ずつ通過可能な幅で形成されたが、遊技球が複数個並んだ状態で通過可能な幅に形成してもよい。
【００５３】
（３）上記実施形態では、樋屈曲部５０が、右打導入通路Ｒｃを通過する遊技球の全てが通過する構成であったが、右打導入通路Ｒｃを流下する遊技球の一部のみが通過する構成であってもよい。例えば、右打導入通路Ｒｃの幅を遊技球２球分以上として、その右打導入通路Ｒｃに遊技球１球分の樋屈曲部５０を設ける構成であってもよい。
【００５４】
（４）上記実施形態では、樋屈曲部５０は１カ所にのみ形成されていたが、複数個所に形成してもよい。
【００５５】
（５）上記実施形態では、窓内装飾部材８０が可動式であったが、移動不能に固定されていてもよい。
【００５６】
（６）上記実施形態では、窓内装飾部材８０が通常時に右打導入通路Ｒｃの前方（上端位置）に配置されて大当りとなったことを起因に右打導入通路Ｒｃの前方から外れる（下端位置に向かって移動する）構成であったが、通常時に右打導入通路Ｒｃの前方から外れた位置（下端位置）に配されて、大当り遊技中に右打導入通路Ｒｃの前方に移動（上端位置に向かって移動）する構成であってもよい。この場合、窓内装飾部材８０が右打導入通路Ｒｃと重なる位置まで移動できなかった従来のものと比較して、窓内装飾部材８０の可動範囲を大きくすることが可能となる。
【００５７】
（７）また、窓内装飾部材８０が移動する演出が行われるのは、大当り遊技中でなくてもよい。例えば、当りの判定結果が報知されたときであってもよいし、所謂確変遊技中や予告時やリーチ時やリーチ演出等の遊技状態に応じて移動する構成であってもよい。
【００５８】
（８）上記実施形態では、緩衝部材４１がエラストマー製であったが、バネ等の他の弾性部材であってもよい。
【００５９】
なお、上記実施形態及び他の実施形態（１）〜（８）には、以下の［１］〜［１１］の構成が含まれている。
【００６０】
［１］
遊技球が流下可能な遊技領域を前面に備えた遊技板と、
前記遊技領域を囲む包囲壁と、
前記遊技領域の左上縁部側に設けられ、遊技球を前記遊技領域に打ち込むための進入口と、
前記進入口から前記包囲壁に沿って前記遊技領域の右側流下エリアに遊技球を案内する右打導入通路と、を備えた遊技機において、
前記右打導入通路を屈曲させてなる減速屈曲部と、
前記減速屈曲部に設けられて前記包囲壁に下方から隣接し、前記進入口から前記包囲壁に沿って進んできた遊技球が衝突可能な緩衝部材を設けたことを特徴とする遊技機。
【００６１】
［１］の構成では、包囲壁に沿って進んできた遊技球が右打導入通路における減速屈曲部で屈曲されるので、右打導入通路を通過する遊技球が包囲壁に案内されて進んでいく構成であった従来の遊技機よりも、右打導入通路における遊技球の動きを斬新にすることが可能となる。また、包囲壁に沿って進んできた遊技球が緩衝部材と減速屈曲部とにより減速されるので、その後の右打導入通路における遊技球の動きは、包囲壁に案内される形態ではなく、転動する形態となり、右打導入通路における遊技球の動きをより斬新にすることが可能となる。
【００６２】
［２］
前記右打導入通路は、前記減速屈曲部に設けられた段差部より左側の左上側通路と、右側の右下側通路と、前記左上側通路と前記右下側通路との間を連絡する中間通路とを有し、
前記緩衝部材は、弾性部材で構成されて、前記右下側通路と前記包囲壁との間でかつ前記左上側通路の延長線上に位置していることを特徴とする［１］に記載の遊技機。
【００６３】
減速屈曲部は、前後方向で屈曲していてもよいし、［２］の構成のように、上下方向で屈曲していてもよい。
【００６４】
［３］
前記緩衝部材のうち遊技球が衝突する衝突面は、下方に向かうに従って前記左上側通路の延長方向の前方に向かうように傾斜した第１傾斜を有することを特徴とする［２］に記載の遊技機。
【００６５】
［３］の構成では、緩衝部材における衝突面が下方へ向かうに従って左上側通路の延長方向の前方に向かうように傾斜しているので、衝突面に衝突した遊技球を右下側通路へ誘導させることが可能となる。
【００６６】
［４］
前記緩衝部材のうち遊技球が衝突する衝突面は、前記遊技板側に向かうに従って前記左上側通路の延長方向の前方に向かうように傾斜した第２傾斜を有することを特徴とする［２］又は［３］に記載の遊技機。
【００６７】
［４］の構成では、緩衝部材における衝突面が遊技板側に向かうに従って左上側通路の延長方向の前方に向かうように傾斜しているので、衝突面に衝突した遊技球を遊技板側に誘導させることができ、遊技球が前方へ飛び出すことを抑制することが可能となる。
【００６８】
［５］
前記中間通路のうち前記左上側通路の延長領域より下側部分に傾斜付きの前後段差部を設けたことを特徴とする［２］乃至［４］の何れか１に記載の遊技機。
【００６９】
［５］の構成では、前後段差部により遊技球の勢いが緩和される。
【００７０】
［６］
前記遊技板に取り付けられ、前記遊技板の前面との間で前記緩衝部材を挟持する前面支持部を有する支持部材と、
前記緩衝部材を前後に貫通した支持孔と、
前記前面支持部から後方に突出し、前記支持孔の中間位置まで嵌合された支持シャフトとを備えた［２］乃至［５］の何れか１に記載の遊技機。
【００７１】
［６］の構成では、前面支持部から後方に突出した支持シャフトが緩衝部材を前後に貫通した支持孔の中間位置まで貫通しているため、緩衝部材の支持孔のうち遊技板側部分は空洞になっている。このため、緩衝部材に遊技球が衝突したときに、緩衝部材における前面支持部側よりも遊技板側が弾性変形しやすく、遊技球を遊技板側に誘導させやすくなり、遊技球が前方へ飛び出すことを抑制することが可能となる。
【００７２】
［７］
前記緩衝部材は、ブロック形状をなしかつ、そのブロック形状における前記左上側通路の延長方向の寸法が、前記前面支持部側から前記遊技板側に向かうに従って徐々に小さくなるように構成したことを［６］に記載の遊技機。
【００７３】
［７］の構成では、ブロック形状をなした緩衝部材における左上側通路の延長方向の寸法が、前面支持部側から遊技板側に向かうに従って徐々に小さくなるように窄んでいるため、緩衝部材に遊技球が衝突したときに、遊技板側がより弾性変形しやすくなる。
【００７４】
［８］
前記段差部は、前記中間通路の左側内側面に形成され、前記左上側通路の下面に対して略直交した逆流規制部と、前記逆流規制部の下端部から下方に向かうに従って右側に向かうように傾斜した誘導傾斜部とを備えたことを特徴とする［２］乃至［７］の何れかに記載の遊技機。
【００７５】
［８］の構成では、中間通路の左側内側面に、下方に向かうに従って右側に向かうように傾斜した誘導傾斜部が備えられているので、緩衝部材に衝突した遊技球が誘導傾斜部に受け止められ、右方へスムーズに誘導することが可能となる。
【００７６】
［９］
前記緩衝部材は、前記包囲壁の最上部又はその最上部に右側近傍に配置されている［１］乃至［８］の何れか１に記載の遊技機。
【００７７】
［９］の構成では、緩衝部材が包囲壁の最上部又はその最上部の右側近傍に配置されているので、右打導入通路における遊技球を転動させる部分を長くとることができ、右打導入通路における斬新な遊技球の動きをより長く遊技者に見せることが可能となる。
【００７８】
［１０］
前記右打導入通路の終端部の下方に配置され、前記遊技領域の右側流下エリアに向かう遊技球の通る右上部関所と、前記右上部関所の右側に配置され、前記右打導入通路を通過してきた遊技球が衝突する終端緩衝部材を備えたことを特徴とする［９］に記載の遊技機。
【００７９】
［１０］の構成では、２つの緩衝部材で遊技球の勢いを低下させるので、遊技球の衝突による部品の破損を抑制することが可能となる。
【００８０】
［１１］
前記右打導入通路のうち前記緩衝部材と前記終端緩衝部材との中間部分を前面カバーで前方から覆って樋部とし、その樋部を屈曲させて樋屈曲部を備えたことを特徴とする［１０］に記載の遊技機。
【００８１】
［１１］の構成では、右打導入通路のうち緩衝部材と終端緩衝部材との間に、屈曲した樋屈曲部が備えられているので、減速屈曲部で屈曲されて転動する遊技球が樋屈曲部によりさらに屈曲され、遊技球の動きをより斬新にすることが可能となる。
【符号の説明】
【００８２】
１０    遊技機
１１    遊技板
１２Ａ    第１ガイドレール（包囲壁）
１２Ｂ    第２ガイドレール（包囲壁）
１３    表示装置（演出装置）
１６    区画レール（包囲壁）
１９    進入口
２３Ａ    表示窓
２３Ｄ    前後段差部
２３Ｆ    張出し部（遊技板）
２４Ｃ    逆流規制部
２４Ｄ    誘導傾斜部
４１    緩衝部材
４１Ａ    支持孔
４１Ｋ    傾斜部
４１Ｍ    衝突面
４２    減速屈曲部
４３    中間通路
４５    左上側通路
４６    右下側通路
Ｒ１    遊技領域
Ｒａ    左側流下エリア
Ｒｂ    右側流下エリア
Ｒｃ    右打導入通路
【図１】
2017023774.tif 000003
【図２】
2017023774.tif 000004
【図３】
2017023774.tif 000005
【図４】
2017023774.tif 000006
【図５】
2017023774.tif 000007
【図６】
2017023774.tif 000008
【図７】
2017023774.tif 000009
【図８】
2017023774.tif 000010
【図９】
2017023774.tif 000011
【図１０】
2017023774.tif 000012
【図１１】
2017023774.tif 000013